(57)【特許請求の範囲】
【請求項１】
ドラム缶などの容器に着脱可能な液面計付き液体吐出装置であって、
缶内の液体（２）を吐出するための、吐出サイフォン管（缶内部）（７）、吐出サイフォン管（透明逆Ｕ字管）（８）及び吐出サイフォン管（缶外部）（９）からなる連通する流路と、
缶内の液面を表示するための、表示サイフォン管（缶内部）（１０）、表示サイフォン管（透明逆Ｕ字管）（１１）及び表示サイフォン管（缶外部）（１２）からなる連通する流路、並びに、液面表示管（透明管）（１３）からなる流路と、
前記流路を切り替えるための回路切替バルブ（１５）とを備え、
前記回路切替バルブが、前記吐出サイフォン管（缶外部）開口部と前記表示サイフォン管（缶外部）開口部とを連通する流路の形成、あるいは前記表示サイフォン管（缶外部）開口部と前記液面表示管（透明管）開口部とを連通する流路の形成に切替可能に構成されることを特徴とする液面計付き液体吐出装置。
【請求項２】
ドラム缶などの容器に着脱可能な液面計付き液体吐出装置であって、
缶内の液体（２）を吐出するための、吐出サイフォン管（缶内部）（７）、吐出サイフォン管（透明逆Ｕ字管）（８）及び吐出サイフォン管（缶外部）（９）からなる連通する流路と、
缶内の液面を表示するための、表示サイフォン管（缶内部）（１０）、表示サイフォン管（透明逆Ｕ字管）（１１）及び表示サイフォン管（缶外部）（１２）からなる連通する流路、並びに、液面表示管（透明管）（１３）からなる流路と、
前記流路を切り替えるための回路切替バルブ（１５）と、
缶内の液体を前記液面表示管（透明管）内に吸引するための、当該管上部のカプラ接続口（３０）に付設される複動式吸引・圧送ポンプ（３１）と、
前記液面表示管（透明管）内に液体が満たされた状態で、当該管内と缶内とを同気圧にするための、前記複動式吸引・圧送ポンプを取り外した後の前記カプラ接続口と当該缶との間に付設される同気圧チューブ（２９）とを備え、
前記回路切替バルブが、前記吐出サイフォン管（缶外部）開口部と前記液面表示管（透明管）開口部とを連通する流路の形成、あるいは前記表示サイフォン管（缶外部）開口部と前記液面表示管（透明管）開口部とを連通する流路の形成に切替可能に構成されることを特徴とする液面計付き液体吐出装置。
【請求項３】
液面表示管（透明管）内に浮き子（２０）を備え、当該浮き子に照射可能なＬＥＤ発光器（２２）を備えることを特徴とする請求項１又は２に記載の液面計付き液体吐出装置。
【請求項４】
容器上部の空気穴（４）に備わるハンド式加圧ポンプ（２３）及び／又は吐出サイフォン管（缶内部）の液側先端部に備わる電動式小型ポンプ（３７）を有することを特徴とする、請求項１〜３いずれか１項に記載の液面計付き液体吐出装置。
【請求項５】
液面表示管（透明管）の管内体積が、回路切替バルブ、表示サイフォン管（缶外部）、表示サイフォン管（透明逆Ｕ字部）及び表示サイフォン管（缶内部）の合計管内体積より大きいことを特徴とする請求項１〜４いずれか１項に記載の液面計付き液体吐出装置。
【請求項６】
液面表示管（透明管）の内径が表示サイフォン管（缶外部）の内径より大きく、前記表示サイフォン管（缶外部）開口部は回路切替バルブとの接続部に絞り部を設けることを特徴とする請求項１〜５いずれか１項に記載の液面計付き液体吐出装置。
【請求項７】
ドラム缶など複数の容器を連結して用いる液面計付き液体吐出装置であって、
請求項１〜６いずれか１項に記載の液面計付き液体吐出装置と、
隣接する２つの缶の間で液体（２）を移送するための、当該２つの缶に挿入される２本の導液サイフォン管（缶内部）（３４）及び当該管同志を連通する連結導液管（３３）と、
缶内の液面を表示するために連通する、前記連結導液管から分岐される表示サイフォン管（透明逆Ｕ字部）（１１）、表示サイフォン管（缶外部）（１２）及び液面表示管（透明管）（１３）と、
缶内の液体を前記液面表示管（透明管）内に吸引するための、当該管上部のカプラ接続口（３０）に付設される複動式吸引・圧送ポンプ（３１）と、
当該管内に液体が満たされた状態で、当該管内と前記２つの缶内とを同気圧にするための、前記ポンプを取り外した後の前記カプラ接続口と当該２つの缶との間に付設される連結同気圧チューブ（３５）と、
を有することを特徴とする液面計付き液体吐出装置。
【発明の詳細な説明】
【技術分野】
【０００１】  本発明は、ドラム缶、ペール缶、一斗缶などの上部開放容器に収納されている液体を、容易に缶外に吐出する事ができ、また、缶内の液面を外部から直読認識する事ができる上部開放容器に着脱可能な液面計付き液体吐出装置に関する。
【背景技術】
【０００２】  従来、ドラム缶、ペール缶、一斗缶などの上部開放型の容器から液体を小分けする場合、電動ポンプ又は手押しポンプを用いるか、吐出口に蛇口を取付け、缶本体を横倒して吐出するか、又は、缶内を密閉して圧力を加えて吐出するなどの方法がとられている。また、缶内の液体残量や吐出量を確認するには下記のような手段がとられているが、それぞれ下記するような問題点を抱えている。
（ａ）容器の外側に穴開け加工を行い、此処に液面計を取り付けて容器内の液面高さを目視で測定する手段が有る（例えば、特許文献３参照。）。この手段を適用するには、缶内の液体を専用タンクに移し変える必要が有り、非常に手間と時間が掛かる。さらに、設置費用が懸かり、設置用スペースも必要となるなどの問題が有る。缶の吐出口に蛇口を取り付けて缶本体を横倒しにして吐出する場合は、吐出口と液面計が一体と成ってる為、吐出時の流速が表示液面高さに影響して正確な液位を表示できない。また、缶全体を横倒しにしなければ成らず、専用の横倒し装置が必要であり、取り扱いが大変である。さらには、安全上、缶全体を固定する必要が有るなど、精度、作業性、安全性、設置費用などに問題点が多い。
（ｂ）吐出装置と液面表示装置とが個別に設置され使用されている事も多い。缶容器内の液体量を知る為に、各種の着脱可能な液面計が用いられている。その代表例を挙げると、フロート式、重量計式、静電容量測定式、気圧式などがある（例えば、特許文献２、５参照。）。しかし、これらの液面計では、缶内の液量を確認するには、特別な構造、回路、機器を必要とする為、取り扱いが複雑で製造コストも高い。また、測定精度も十分とは言えない。
（ｃ）サイフォン式で着脱式の液面表示計もある（例えば、特許文献１参照。）。しかし、実用化には難がある。この方式では、缶内の液体を缶外の液柱計に引き揚げる時、途中のパイプ管内で気泡の混濁現象が発生し易く、パイプ上端部に気泡溜まりが発生して正確なサイフォン管が形成出来ない。従って、缶外への正確な管内液面表示の確実性に乏しくなる。また、サイフォンを応用したサブタンク方式もある（例えば、特許文献４参照。）が、小分けを行うためには、その都度サブタンクを使用せねば成らず、構造が複雑で操作が難しい。また、サイフォンに三方コックを組み合わせた回路切替式がある（例えば、特許文献６参照。）が、この方式では小分け吐出中の缶容器内の液体変化量をリアルタイムで知ることが出来ないなど実用化に問題点が有る。
【先行技術文献】
【特許文献】
【０００３】
【特許文献１】実用新案登録第３０２１２９４号公報
【特許文献２】特開平９−２５０９４２号公報
【特許文献３】実開平５−３９３２号公報
【特許文献４】特開２０００−１１１３８６号公報
【特許文献５】特表２００９−５４３０７８号公報
【特許文献６】特開平７−３５５９７号公報
【発明の概要】
【発明が解決しようとする課題】
【０００４】  本発明は、上記に示した問題を解決すると共に、一般的な可般容器であるドラム缶、ペール缶、一斗缶などの上部開放型容器に、何時、何処でも使用可能な着脱自在式であって、保管中及び吐出中の缶内液位の変化量を容易に直読確認出来、かつ構造が簡単で、取り扱いが簡便であり、更に安全な液面計付き液体吐出装置を提供することを目的とする。
【課題を解決するための手段】
【０００５】  上記の課題を解決するため、本発明の第１手段は、ドラム缶などの容器に着脱可能な液面計付き液体吐出装置であって、吐出サイフォン管（缶内部）７、吐出サイフォン管（透明逆Ｕ字部）８及び吐出サイフォン管（缶外部）９からなる吐出サイフォン管群と、表示サイフォン管（缶内部）１０、表示サイフォン管（透明逆Ｕ字部）１１、表示サイフォン管（缶外部）１２及び液面表示管（透明管）１３からなる表示サイフォン管群と、前記吐出サイフォン管（缶外部）、前記表示サイフォン管（缶外部）又は前記液面表示管（透明管）の任意の２つの管に送液可能な回路切替バルブ１５と、を備えることを特徴とする。【０００６】  また、第２手段は第１手段に記載の液面計付き液体吐出装置であって、液面表示管（透明管）内に浮き子を備え、当該浮き子に照射可能なＬＥＤ発光器を必要に応じて備えることを特徴とする。【０００７】  また、第３手段は第１又は第２手段に記載の液面計付き液体吐出装置であって、容器上部の空気穴に備わるハンド式加圧ポンプ２３及び／又は吐出サイフォン管（缶内部）の液側先端部に備わる電動式小型ポンプ３７を有することを特徴とする。【０００８】  また、第４手段は第１〜第３手段いずれかに記載の液面計付き液体吐出装置であって、液面表示管（透明管）上部に、回路切替バルブを介して液面表示管と表示サイフォン管（缶外部）に送液可能な複動式吸引・圧送ポンプ３１を備えることを特徴とする。【０００９】  また、第５手段は第１〜第４手段いずれかに記載の液面計付き液体吐出装置であって、液面表示管（透明管）の管内体積が、回路切替バルブ、表示サイフォン管（缶外部）、表示サイフォン管（逆Ｕ字部）及び表示サイフォン管（缶内部）の合計管内体積より大きいことを特徴とする。【００１０】  また、第６手段は第１〜第５手段いずれかに記載の液面計付き液体吐出装置であって、液面表示管（透明管）の内径が表示サイフォン管（缶外部）の内径より大きく、表示サイフォン管開口部は回路切替バルブとの接続部に絞り部を設けることを特徴とする。【００１１】  また、第７手段は複数の容器間で送液可能な液体吐出装置であって、容器に挿入される導液サイフォン管（缶内部）３４と、液面表示管（透明管）１３と、前記液面表示管（透明管）のカプラ接続口３０に備わる複動式吸引・圧送ポンプ３１と、連結導液管３３と、前記連結導液管及び前記液面表示管（透明管）を連結する表示サイフォン管（透明逆Ｕ字部）１１と、を有することを特徴とする。
【発明の効果】
【００１２】  本発明は、２つのサイフォンを形成する為の吐出管群と表示管群及び回路切替バルブ、吐出バルブで構成されており、構造が簡単かつコンパクトで取り扱い作業性も容易である。また、構造がシンプルな為、故障も少なく、安価に製作する事が可能である。液面の精度については、電気信号や駆動機構を間に介在させる事無く小分け吐出中の液面変化を直読する事が可能であり高精度である。また、装置はコンパクトな為、着脱が容易であり、駆動源を必要としない事又は小さな駆動源ですむ事から、ドラム缶、ペール缶、一斗缶といった一般的可搬容器に対しては、いかなる場所でも対応することが可能であり利便性が高い。また、連結装置を用いる事により、液体の補充作業が簡便化でき、かつ多数使用により大容量容器として使用することも可能であり、その利便性は高い。
【図面の簡単な説明】
【００１３】
【図１】  ドラム缶に本発明を設置した場合の構造断面図である。
【図２】  ペール缶や一斗缶など台上に持ち上げ設置可能な場合の実施例である。
【図３】  図１に於ける吐出ポンプ操作時の構造断面図である。
【図４】  図３において缶内の液面高さを表示管で確認時の構造断面図である。
【図５】  複動式吸引圧送ポンプで吐出サイフォン状態時の構造断面図である。
【図６】  図５において表示サイフォン回路を完成させた場合の構造断面図である。
【図７】  図６から吸引圧送ポンプを外した場合の構造断面図である。
【図８】  図５に示す複動式吸引圧送ポンプを応用した容器を連結した場合の構造断面図である。
【図９】  図８において表示管で確認をしている場合の構造断面図である。
【図１０】  連結ユニットの使用状態図である。
【発明を実施するための形態】
【００１４】  着脱式液面計付き吐出装置は、サイフォン原理を応用した２つのサイフォン回路を形成する事により、上部開放容器への着脱自在化、動力を要しない小分け吐出、及び、缶内液面高さを精度良く管外から直読認識できる事を可能としている。
【００１５】  缶内の液体を管外に吐出させ、表示させる為には、吐出用サイフォン管群と表示用サイフォン管群の２つのサイフォン回路を形成する必要がある。サイフォン回路を形成する方法には、液体をポンプで吸い上げて押し込む方式、缶容器内を密閉し高気圧を掛けて液体を圧送する方式、吸引ポンプで表示缶部を負圧状態にして液体を吸い上げる方式、小型ポンプで圧送する方式などが考えられる。本発明は、小分け吐出回路と液面表示回路を形成し、缶内の液体を吐出すると共に、缶外の透明表示管にて缶内の液面高さをリアルタイムで直読表示可能とした事を特徴とする。
【００１６】  回路切替バルブにより、吐出用サイフォン回路と液面表示サイフォン回路の独立した２回路ができ上がる為、吐出口と表示管が隣接するにも関わらず、液面表示管は吐出時の影響を全く受けること無く、吐出中の缶内液面高さをリアルタイムで缶外の液面表示管に正確に表示する事が可能となる。
【００１７】  吐出サイフォン回路に吐出弁を設ける事により、缶を傾けないで縦置きのまま安全に缶内の液体を管外に吐出する事ができ、液の取り替え作業性も良くなる。
【００１８】  本装置の液面表示機構は、サイフォン回路が確実に形成されている事が重要である。サイフォン回路への気泡混入は表示精度に誤差を与える為、有ってはならない。従って、サイフォン管内に気泡が無い事を確認する為、２つのサイフォン管上部に透明の逆Ｕ字管を設け、気泡の有無確認を容易にする。これにより気泡の影響を排除した誤差のない正確な液位表示と迅速で確実な小分け吐出が実現可能となる。
【００１９】  表示管内部に浮き子を浮かせ、表示管上方よりＬＥＤ光を照射させる事により、液位表示を明確にする事が可能となる。また、浮き子を磁性体にて形成すると、管外に磁気検知装置等を設置する事により、表示液面を電気信号として取り出し、各種制御に応用する事も可能である。特に検知装置が管外に有る為、検知位置を容易に変更することが可能である。
【００２０】  ドラム缶、ペール缶、一斗缶などの上部開放型で密閉可搬容器は、可燃液体や有毒ガスを発揮させる液体を取り扱う事が多い。これらの場合、缶外にガスを放出させない事が重要である。また、表示管部と缶内の気圧が相違していると正確な液位表示ができ無い。この為、表示管上部の液面上方空間と缶内液面上方空間とをパイプで連結させる。これにより外部空間と遮断され、安全性を確保する事ができ、かつ、缶内気圧と表示管内気圧が同一圧力になり、液位表示の確実性が得られる。
【００２１】  上部開放容器からサイフォンを利用して重力のみで吐出を行う場合は、吐出口を容器の最下面より下側に設置する事で、容器内の最低部の液体まで吐出する事が可能となる。しかし、缶全体を容器受け口より上方に持ち上げて設置する必要が生じる。ペール缶や一斗缶など人手で持ち上げ可能な場合は、比較的持ち上げ設置は可能であるが、ドラム缶などの大型容器では人が持ち上げて設置する事は困難である。従って、ドラム缶開口部より加圧ポンプを用いて缶内の圧力を高め、その圧力にて圧送吐出する事で、容器を設置床面に設置したままで容器最低下面部までの吐出が可能となる。また、小型電動ポンプを液体吸入口に設け液体を圧送する事で、少ない動力で容器最低下面部までの吐出が可能となる。
【００２２】  付属装置として、表示管側からの吸い込みポンプ方式を応用した連結サイフォン装置で缶と缶を繋ぐ事により、缶間の液体移動が動力を使用することなく可能となる。この為、本体装置が使用中でも缶から本体装置を取り外す事無く連続して液体の供給が可能となる。また、付属装置を多数連続して使用すると、任意に設置された多数の缶が、あたかも大容量の一つの容器として使用する事が可能となる。要所、要所に、本体装置を装着すれば、吐出口も任意の数を設置する事が可能となり、緊急に多量の液体の使用が必要になる場合や、災害時など多量に水の保管が必要となる緊急対応に非常に有効な手段となる。以下、本発明について、図を参照して詳しく説明する。
【００２３】  図１（ａ）は、本装置がドラム缶の様に大型で人による運搬が簡単に行えない場合の設置例で有り、ドラム缶容器１に設置され、吐出サイフォン回路と表示サイフォン回路が形成された状態を示している。床に置かれたドラム缶内の液体２が中部吐出ユニット１６に備わる吐出口から排出されている状態を示す。この時、管外の液面表示管（透明管）１３の中に浮いている浮き子２０は、管内部の液位を直読している事になる。中部吐出ユニット１６の吐出口の位置が管内部の液体２の表面位置より高くなると、重力方式のみでは吐出不可能になる為、缶内部にハンド式加圧ポンプ２３等で加圧する事により、液体２を圧送する事で缶外に吐出することができる。また、同図（ｂ）に示すように、吐出サイフォン管（缶内部）７の先端部に電動式小型ポンプ３７を取り付けて、液体２を圧送する事でも缶外に吐出する事が可能である。なお、同図（ｃ）は下部回路切替ユニット１４の拡大図である。図中の矢印は液の移動方向を示す。
【００２４】  図２は、本装置がペール缶又は一斗缶２６など、人による運搬ができて、比較的容易に置き台上に設置できる場合の設置例である。この場合、ペール缶又は一斗缶２６を置き台上に設置する事により、本装置の中部吐出ユニット１６の吐出口を缶底より低い位置に設置する事ができる為、液体２を重力のみでペール缶又は一斗缶２６の底面部迄吐出可能である。
【００２５】  図１〜図７の本装置の基本的構成は、吐出サイフォン管（缶内部）７、吐出サイフォン管（透明逆Ｕ字部）８、吐出サイフォン管（缶外部）９からなる三本の吐出サイフォン管群と、表示サイフォン管（缶内部）１０、表示サイフォン管（透明逆Ｕ字部）１１、表示サイフォン管（缶外部）１２、液面表示管（透明管）１３からなる四本の表示サイフォン管群と、吸い上げポンプ式又はポンプ圧縮空気式の下部回路切替ユニット１４と、中部吐出ユニット１６とから成る。
【００２６】    図３（ａ）は、本装置の下部回路切替ユニット１４の回路切替バルブ１５を、表示サイフォン管開口部１５ｂと吐出サイフォン管開口部１５ｃが繋がるようにしてドラム缶容器に挿入した後、吸い上げポンプ６で液体２を吐出サイフォン管（缶内部）７より吸い上げ、又は、電動式小型ポンプ３７で液体２を吐出サイフォン管（缶内部）７に圧送して、吐出サイフォン管（透明逆Ｕ字管）８を経由して吐出サイフォン管（缶外部）９を通り、吸い上げポンプ式又はポンプ圧縮空気式の下部回路切替ユニット１４の回路切替バルブ１５の吐出サイフォン管開口部１５ｃから表示サイフォン管開口部１５ｂを経由して表示サイフォン管（缶外部）１２を経由し、表示サイフォン管（透明逆Ｕ字部）１１を通り、表示サイフォン管（缶内部）１０に液体２を圧送して缶内に液体を戻し、吐出サイフォン回路と表示用サイフォン回路を完成させた状態図で有る。この時、大切な事は、表示サイフォン管（透明逆Ｕ字部）１１にて気泡溜まりが無い事を確認する事である。気泡溜まりが有ると、液体２を缶外に吐出した時に液面表示管（透明管）１２内の浮き子２０は気泡溜まりの影響を受け、管内液面より高めの液位を表示する。また、液体２を缶内に補充する場合は、管内液面より低めを表示して正常な管内液面を表示する事が出来ない。気泡溜まりが大きい程、生じる影響、誤差が大きい為、気泡溜まりは皆無とする事が必要で有る。従って、気泡溜まりが有る場合は吸い上げポンプ６を再度操作して液体２を吐出サイフォン管（缶内部）７から再び吸い上げ、吐出サイフォン管（缶外部）９に送り込む。この時、吐出サイフォン管（缶外部）９と表示サイフォン管（缶外部）１２には気泡溜まりが全く無い液体２が存在している。この気泡溜まりの無い液体を吸い上げポンプ６を操作する事で、表示サイフォン管（透明逆Ｕ字部）１１に送り込み、気泡溜まり部を表示サイフォン管（缶内部）１０を通してドラム缶容器１内に排出する事が出来る。これらの操作により気泡溜まりが全く無い表示サイフォン回路群を確実に形成することが出来る。吐出サイフォン回路群に於いては、気泡溜まりが有ると液体２の吐出速度が減少傾向となる為、極力無くす事が望ましい。なお、同図（ｂ）は下部回路切替ユニット１４の拡大図である。図中の矢印は液の移動方向を示す。
【００２７】  その後、図４（ａ）に示す様に、下部回路切替ユニット１４の回路切替バルブ１５を切替えて、液面表示管開口絞り部１５ａと表示サイフォン管開口部１５ｂが繋がる事により、液面表示管（透明管）１３に液体２が流れ込み、浮き子２０を押し上げて缶内の液位を表示する事が出来た状態を示す。この状態では吐出用サイフォン回路と表示用サイフォン回路が完全に独立しており、お互いが干渉し合うこと事が無い。従って、浮き子２０は液体２を吐出するに従って缶内の液位をリアルタイムで正確に表示する事が出来る。なお、同図（ｂ）は下部回路切替ユニット１４の拡大図である。図中の矢印は液の移動方向を示す。
【００２８】  また、液面表示管の最上部にＬＥＤ発光器２２を取り付け、浮き子２０に向かって照射する事で浮き子の上面及び液との接触面が光り、液位を暗い中でもハッキリと明確に認識する事が可能である。
【００２９】  ドラム缶の様に床置き方式の場合は、受け容器５に小分け吐出を行う時、吐出バルブ１７の位置がドラム缶容器１の缶底面部より上方に位置する。この為、吐出バルブ１７と同位置あるいは下位高さに有る液体２はサイフォン原理のみでは吐出する事が出来ない。これらの液体２を吐出する為には、ドラム缶容器１の空気穴４にハンド式加圧ポンプ２３を取付て外気を圧送し、缶内の気圧を大気圧以上に加圧をする事と吐出バルブ１７を開放する事により、缶内の液体２を受け容器５に吐出小分けする事が出来る。また、吐出サイフォン管（缶内部）７の先端部に取り付けられた電動式小型ポンプ３７を駆動させる事で、液体２を吐出バルブ１７から吐出する事が出来る。
【００３０】  図５（ａ）は、液面表示管（透明管）１３から吸引・圧送ポンプを用いて２本のサイフォン管群を作り出している状態図である。本装置の吸込・圧入ポンプ式の下部回路切替ユニット１４の回路切替バルブ１５を、液面表示管開口絞り部１５ａと吐出サイフォン管開口部１５ｃが繋がる様に設定してドラム缶容器１に本装置を挿入し、複動式吸引・圧送ポンプ３１の吸引口側をカプラ接続口３０に接続して吸引する。この様にすると、缶内の液体２が吐出サイフォン管（缶内部）７から吸い上げられ、吐出サイフォン管（透明逆Ｕ字管）８を通り、吐出サイフォン管（缶外部）９を経由して、切替バルブ１５の吐出サイフォン開口部１５ｃから液面表示管開口絞り部１５ａに抜けて、液面表示管（透明管）１３の上部カプラ接続口３０に流入しない少々下まで液体２を吸い上げる。この状態で、吐出サイフォン回路が完成したことになる。なお、同図（ｂ）は下部回路切替ユニット１４の拡大図である。図中の矢印は液の移動方向を示す。
【００３１】  図６（ａ）は、液面表示管（透明管）１３から液体２をドラム缶１の缶内に戻し、表示サイフォン回路を作っている最中の状態図で有る。上記図５の状態に成った時、回路切替バルブ１５を切り替えて、液面表示管開口絞り部１５ａと表示サイフォン管開口部１５ｂが繋がる様にする。同時に、複動式吸引・圧送ポンプ３１を一度取り外し、圧送口側をカプラ接続口３０に接続して液面表示管（透明管）１３に圧縮空気を送り込む。これにより液面表示管（透明管）１３に引き揚げられ、溜められた液体２を回路切替バルブを経由して表示サイフォン管（缶外部）１２を通り、表示サイフォン管（透明逆Ｕ字部）１１を経由して表示サイフォン管（缶内部）１０から缶内に液体２を送り込む。この時、表示サイフォン管（透明逆Ｕ字部）１１に気泡溜まりが無ければ、表示サイフォン回路が完成したことになる。なお、同図（ｂ）は下部回路切替ユニット１４の拡大図である。図中の矢印は液の移動方向を示す。
【００３２】  此処で大切な事は、表示サイフォン管群を確実に形成する事で有る。表示サイフォン管（透明逆Ｕ字部）８に気泡溜まりが有ると、前述したように缶内の液体２を吐出したとき、気泡の影響で液面表示管（透明管）１３の液位高さに影響を及ぼし、正確な液位が得られない。したがって、確実な表示サイフォン管群を形成する為には、下記項目を考慮する必要がある。
（ａ）液面表示管（透明管）１３の管内体積容量は、回路切替バルブ１５、表示サイフォン管（缶外部）１２、表示サイフォン管（透明逆Ｕ字部）１１及び表示サイフォン管（缶内部）１０の合計管内体積容量より多くなければならない。容量が大きい程、吸い上げられた液体２を液面表示管管（透明管）１３から表示サイフォン管（缶外部）１２、表示サイフォン管（透明逆Ｕ字部）１１及び表示サイフォン管（管内部）１０に逆圧送してサイフォン状態を作成する時に、気泡のない液体２を余裕を持って逆圧送する事が出来、正しいサイフォン回路が形成される。
（ｂ）液体２を管内から吸い上げるとき、吐出サイフォン管（缶外部）９に気泡の混濁により気泡溜まりが発生し易い。これを解消するには、表示サイフォン管（缶外部）１２の管内径より液面表示管（透明管）１３の内径を大きくする。または接続部の回路切替バルブ１５に絞り部を設けた表示サイフォン管開口部１５ｂを設ける事が重要である。これにより、液面表示管（透明管）１３に気泡を含んだ液体２が流入した瞬間に微細な気泡に出来る為、表示管液面上で気泡を容易に消滅させる事が出来、この気泡の無い液体を液面表示管（透明管）１３に十分な高さまで充填し、これを逆圧送する事で、正しいサイフォン回路が形成出来る。
（ｃ）表示サイフォン管（透明逆Ｕ字部）１１は、必ず透明管を使用して気泡が確認出来る必要がある。気泡が確認されたときは、再度やり直し気泡を無くす事が大切である。
【００３３】  図７（ａ）は、二つのサイフォン回路が完成して、缶内の液面高さが管外の表示管で確認でき、かつ吐出口から液体を吐出している状態図である。図６の状態で、表示サイフォン回路が完成した事を確認したら、複動式吸引・圧送ポンプ３１をカプラ接続口３０から取り外す。その後、図７に示す通り、同気圧チューブ２９をカプラ接続口３０に接続させる。これにより缶ドラム缶１の内気圧と液面表示管（透明管）１３の内気圧が同圧となり、液面高さが同一となり、管外から正確な管内液面高さを直読出来る。また、中部吐出ユニット１６の吐出レバー１８を押すことにより吐出バルブ１７が開き、液体２を吐出する事が出来る。なお、同図（ｂ）は下部回路切替ユニット１４の拡大図である。図中の矢印は液の移動方向を示す。
【００３４】  図８は、缶と缶とを連結させ、動力を使用せずに大気圧又は加気圧のみで管内の液体を他の管内に移動する事が出来る連結ユニット３２の設置状態図である。本ユニット基本構成は、図５に示す複動式吸引・圧送ポンプ３１を利用してサイフォン管状態を形成する方式を採用している。図８に示す連結ユニット３２の連結導液管３３を内容量の異なるドラム缶容器１にそれぞれ導液サイフォン管（缶内部）３４を挿入セットした後、液面表示管（透明管）１３のカプラ接続口３０に複動式吸引・圧送ポンプ３１の吸引口を接続させる。ポンプを操作して、両方の缶から液体２が連結導液管３３を通じて吸い上げられて、表示サイフォン管（透明逆Ｕ字部）１１を通って液面表示管（透明管）１３の上部迄吸い上げられた状態を示している。この時点で、缶内の液体２がサイフォン管を構成する全ての管に行き渡っており、缶と缶そして缶と液面表示管のサイフォン回路が完成された状態と成っている。
【００３５】  図９は、上記状態の液面表示管１３のカプラ接続口３０から複動式吸引・圧送ポンプ３１が取り外され、その後に連結同気圧チューブ３５の差込口がカプラ接続口３０に差し込まれた状態を示している。連結ユニット３２による二つのドラム缶１の連結状態が完成した状態であり、液体２の移動が行われ、二つのドラム缶１の缶内の液面高さが同一となり、その液面高さが管外の着脱式液面計付簡易吐出装置の液面表示管（透明管）１３と連結ユニットの液面表示管（透明管）１３にて目視確認出来る。
【００３６】  図１０（ａ）は、連結ユニットを多数使用して複数個の缶と缶を繋げ、あたかも大容量の容器を作り出している実施例で有る。また、同図（ｂ）は、複数個の本装置で有る着脱式液面計付簡易装置と付属装置の連結ユニットを組み合わせ、大容量容器から複数の吐出口を設置した実施例で有る。この実施例から解るように、複数の上部開放容器に本装置と付属装置を組み合わせる事により、大容量の大型容器に匹敵した保管状態を必要容量に応じて容易に作り出すことが可能である。また、小出しの為の吐出口も本装置を上部開放容器に差し込むことで、任意の数量を容易に設置出来る。特に、災害時の水の確保、供給や保管容量が大きく変動する液体の保管に有効な手段になる。
【００３７】  缶内部に挿入される、吐出サイフォン管（缶内部）７及び表示サイフォン管（管内部）１０をフレキシブルなチューブ管にする事で、ドラム缶、ペール缶、一斗缶等の直立型開放容器以外の変形型上部開放容器にも本装置を適用できる事から、その応用範囲は広い。
【符号の説明】
【００３８】  １  ドラム缶容器
２  液体
３  ドラム缶開口部（大）
４  空気穴
５  受け容器
６  吸い上げポンプ
７  吐出サイフォン管（缶内部）
８  吐出サイフォン管（透明逆Ｕ字部）
９  吐出サイフォン管（缶外部）
１０  表示サイフォン管（缶内部）
１１  表示サイフォン管（透明逆Ｕ字部）
１２  表示サイフォン管（缶外部）
１３  液面表示管（透明管）
１４  下部回路切替ユニット
１５  回路切替バルブ
１５ａ  液面表示管開口絞り部
１５ｂ  表示サイフォン管開口部
１５ｃ  吐出サイフォン管開口部
１６  中部吐出ユニット
１７  吐出バルブ
１８  吐出レバー
１９  戻しバネ
２０  浮き子
２１  上部保持ユニット
２２  ＬＥＤ発光器
２３  ハンド式加圧ポンプ
２４  加圧計
２５  空気抜き
２６  ペール缶又は一斗缶
２７  下部回路切替兼吐出ユニット
２８  置き台
２９  同気圧チューブ
３０  カプラ接続口
３１  複動式吸引・圧送ポンプ
３２  連結ユニット
３３  連結導液管
３４  導液サイフォン管（缶内部）
３５  連結同気圧チューブ
３７  電動式小型ポンプ
３８  液面計付液体吐出装置（本体）
３９  中継用上部開放容器
【要約】      （修正有）【課題】一般的な上部開放型容器に、使用可能な着脱自在式であって、保管中及び吐出中の缶内液位の変化量を直読確認出来、構造が簡単で、取り扱いが簡便で、安全な液面計付き液体吐出装置を提供する。【解決手段】吐出サイフォン回路と表示サイフォン回路が形成され、床に置かれたドラム缶容器１内の液体２が中部吐出ユニット１６に備わる吐出口から排出される。管外の液面表示管（透明管）１３の中に浮いている浮き子２０は、管内部の液位を表示している。中部吐出ユニット１６の吐出口の位置が管内部の液体２の表面位置より高くなると、重力方式のみでは吐出不可能になる為、缶内部にハンド式加圧ポンプ２３等で加圧する事により、液体２を圧送する事で缶外に吐出することができる。また、吐出サイフォン管（缶内部）７の先端部に、電動式小型ポンプ３７を取り付けて液体２を圧送する事でも、缶外に吐出する事が可能である。【選択図】図１【図１】
0004831250.tif 000002
【図２】
0004831250.tif 000003
【図３】
0004831250.tif 000004
【図４】
0004831250.tif 000005
【図５】
0004831250.tif 000006
【図６】
0004831250.tif 000007
【図７】
0004831250.tif 000008
【図８】
0004831250.tif 000009
【図９】
0004831250.tif 000010
【図１０】
0004831250.tif 000011